(57)【特許請求の範囲】
【請求項１】
いずれか一方の端部表面に被着面に固定するための固定部を備えると共に他端表面に仮着手段若しくは被着体への固定用である第２の固定部を備えたテープ状の支持体を、前記固定部及び第２の固定部若しくは仮着手段が表面側に位置するようにほぼ二つ折りにして、当該二つ折りにした支持体を折り目側から、順次同じ方向に少なくとも１回以上繰り返して折り畳み若しくは巻回し、二つ折りにされた支持体を折り畳み若しくは巻回した状態で前記仮着手段若しくは第２の固定部により仮着保持したことを特徴とする固定用テープ。
【請求項２】
前記支持体の裏面同士を第２の仮着手段により仮着したことを特徴とする請求項１に記載の固定用テープ。
【請求項３】
前記支持体を二つ折りにした際に、前記支持体の他端を前記固定部を設けた支持体の端部よりも突出させて、把時部としたことを特徴とする請求項１又は２のいずれかに記載の固定用テープ。
【請求項４】
前記支持体を二つ折りにした際に、前記固定部を設けた前記支持体の端部よりも突出する把持部を、前記支持体の他端に設けたことを特徴する請求項１、２又は３のいずれかに記載の固定用テープ。
【請求項５】
前記支持体が折り畳まれ若しくは巻回された状態において、少なくとも前記第２の固定部と対向する領域に、前記折り畳み若しくは巻回した支持体の表面に易剥離処理を施したことを特徴とする請求項１〜４のいずれかに記載の固定用テープ。
【請求項６】
前記固定部は、粘着手段若しくは係止手段からなることを特徴とする請求項１〜５のいずれかに記載の固定用テープ。
【請求項７】
前記仮着手段は、粘着手段若しくは係止手段であることを特徴とする請求項１〜５のいずれかに記載の固定用テープ。
【発明の詳細な説明】
【０００１】
【発明の属する技術分野】
本発明は固定用テープに関する。具体的に言うと、紙おむつや袋、箱等を丸めた状態にしたり、蓋を閉じた状態にしておくために用いられる固定用テープの構造に関する。
【０００２】
【従来の技術】
紙おむつを使用した後、汚物が不用意に外に漏れないように、紙おむつを丸めてゴミ箱に捨てたりする。このとき、丸めた紙おむつが開かないようにするために、固定用テープが紙おむつに設けられている。このような固定用テープとして、例えば、特公昭５８−３０４０１号公報や、特公昭５２−４７７６９号公報あるいは特公平１−５６１６３号公報に開示されたようなものが用いられていた。
【０００３】
図１１には、従来の固定用テープの一例を示すが、この固定用テープＥは、幅１〜２ｃｍ程度、長さも数ｃｍ、例えば約５〜１０ｃｍ程度のテープ状をした支持体５１が、Ｚ字状に折り畳まれた構造をしており、連続した３つの構成部分、つまり、一の被着面に固定される第１の固定部（Ａ）と、第１の固定部（Ａ）に連続した引き伸ばし部（Ｂ）と、前記引き伸ばし部（Ｂ）に連続した他の被着面に固定される第２の固定部（Ｃ）とから構成されている。この固定用テープＥにあっては、第１の固定部（Ａ）において、支持体５１の裏面に粘着剤層５２が形成されており、また、第２の固定部（Ｃ）においても、支持体５１の裏面に別な粘着剤層５３が形成されている。第２の固定部（Ｃ）の支持体５１表面と引き伸ばし部（Ｂ）の支持体５１の表面は、仮着剤５４によって仮着され、さらに引き伸ばし部（Ｂ）の支持体５１裏面と第１の固定部（Ａ）の支持体５１裏面は、粘着剤層５２によって仮着され、図１１に示すようにＺ字状に保持されている。
【０００４】
固定用テープＥは、第２の固定部（Ｃ）の粘着剤層５３が一の被着面、例えば紙おむつの背面側に固定され、Ｚ字状に折り畳まれた状態で、販売され、使用される。そして、使用後に紙おむつを丸めた後に、第１の固定部（Ａ）を引っ張ることにより、２箇所で仮着されていた引き伸ばし部（Ｂ）が引き伸ばされる。そして、第１の固定部（Ａ）を適当な箇所に止め、紙おむつを丸めた状態にして捨てることができる。
【０００５】
しかしながら、このＺ字状に折り畳まれた固定用テープＥにあっては、支持体５１をまず第２の固定部（Ｃ）と引き伸ばし部（Ｂ）を重ね合わせるように、支持対５１の表面側に折り畳み、次に引き伸ばし部（Ｂ）と第１の固定部（Ａ）を重ね合わせるように、今度は支持体５１の裏面側へ折り畳まなければならず、２度に渡ってそれぞれ反対方向に折り畳むことになっていたので、製造工程が非常に煩雑になっていた。また、使用に際しても、２度も反対方向に引き伸ばすことになるので、非常に使い勝手の悪いものであった。
【０００６】
また、支持体５１を２度折り曲げた構造であるので、引き伸ばし部（Ｂ）を長くすれば、第１の固定部（Ａ）や第２の固定部（Ｃ）からはみ出してしまう部分が多くなり、仮着部５４や粘着剤層５２の面積が小さくなると、引き伸ばし部（Ｂ）が固定されない部分が多く、不安定な構造となる。
【０００７】
さらに、引き伸ばし部（Ｂ）をさらにもう一度反対側に折り畳んで、４層の構造とすることも考えられるが、これでは、折り畳まれた引き伸ばし部（Ｂ）を、今度は反対側に折り畳まなければならないので、製造工程が非常に面倒になるとともに、使用に際し、固定用テープＥの引き伸ばしも面倒なものとなってしまうという問題点があった。
【０００８】
本発明は叙上の従来例の欠点に鑑みてなされたものであり、その目的とするところは、引き伸ばす際の動作が容易で、使い勝手がよく、しかも、長さに限定されることの少ない固定用テープを提供することにある。
【０００９】
【課題を解決するための手段】
本発明の固定用テープは、いずれか一方の端部表面に被着面に固定するための固定部を備えると共に他端表面に仮着手段若しくは被着体への固定用である第２の固定部を備えたテープ状の支持体を、前記固定部及び第２の固定部若しくは仮着手段が表面側に位置するようにほぼ二つ折りにして、当該二つ折りにした支持体を折り目側から、順次同じ方向に少なくとも１回以上繰り返して折り畳み若しくは巻回し、二つ折りにされた支持体を折り畳み若しくは巻回した状態で前記仮着手段若しくは第２の固定部により仮着保持したことを特徴としている。
【００１０】
このとき、前記支持体の裏面同士を第２の仮着手段により仮着しておくのがよい。
【００１１】
また、支持体を二つ折りにした際に、前記支持体の他端を前記固定部を設けた支持体の端部よりも突出させて、把時部としたり、あるいは、支持体を二つ折りにした際に、前記固定部を設けた前記支持体の端部よりも突出する把持部を、前記支持体の他端に設けるようにするのがよい。
【００１２】
さらに、前記支持体が折り畳まれ若しくは巻回された状態において、少なくとも前記第２の固定部と対向する領域に、前記折り畳み若しくは巻回した支持体の表面に易剥離処理を施しておくとより好都合である。
【００１３】
これらの固定用テープの固定部には、粘着手段若しくは係止手段から構成することにすればよく、さらには、前記仮着手段を前記粘着手段若しくは係止手段より構成するようにしてもよい。
【００１４】
【発明の実施の形態】
図１は、本発明の一実施例である固定用テープＡの構造を示す側面図、図２は、その固定用テープＡを引き伸ばした状態を示す説明図、図３は、本発明の固定用テープＡの使用状態を示す説明図である。また、図４は本発明の別な実施例である固定用テープＢの構造を示す側面図である。以下、各図に従って、詳細に説明する。
【００１５】
図１に示す固定用テープＡは、図２に示すようなテープ状をした支持体１が４層に折り畳まれており、まず、支持体１が内側にほぼ二つ折りにされ、さらに折り目から内側に二つ折りにされた構造をしている。この支持体１には、例えば、ポリエチレンやポリプロピレン、ポリエチレンテレフタレートなどのプラスチック材料をはじめ、紙、布などの種々のテープ材料を用いることができる。
【００１６】
支持体１の一方の端部には、支持体１の表面（図２では下側に表される。）に粘着剤が塗布された第１の固定部２が形成されている。また、支持体１の他端には、第１の固定部２が形成された面と同じ支持体１の表面に、粘着剤が塗布された第２の固定部３が形成されている。これらの粘着剤としては、一般的に用いられる各種のゴム系粘着剤やアクリル系粘着剤、水溶性粘着剤を用いることができる。
【００１７】
さらに、第１の固定部２が形成された支持体１の端部において、支持体１の裏面（図２では上側に表される。）に、粘着剤が塗布された仮着部４が形成されている。この仮着部４は、支持体１を二つ折りに際に、支持体１が開かないようにするためのものであり、その形成位置は必ずしも支持体１の端部に限られるものではなく、支持体１が開かないように支持体１の裏面同士を仮着できる位置であれば、特に制限されるものではない。なお、用いる支持体１の材質によっては、粘着剤を用いずに裏面同士を密着できる場合があり、このような場合には仮着部４を設ける必要がない。
【００１８】
また、第２の固定部３が形成された支持体１の端部においては、粘着剤が塗布されていない把持部５が形成されており、この把持部５には把持部５であることを示すカラーフィルム６が貼付されている。
【００１９】
なお、本実施例においては、粘着剤を塗布して２つの固定部２、３を形成しているが、固定用テープＡを使用する被着面によっては、粘着剤以外の固定手段を用いることができ、例えば、小さなフックを多数形成し、被着面に係止するようにしてもよい。また、仮着部４も、粘着剤を塗布して形成しているが、支持体１の表面状態によっては、２つの固定部２、３と同様に例えば、小さなフックを多数形成するようにしてもよい。
【００２０】
第１の固定部２と第２の固定部３の間の支持体１表面には、シリコーンや長鎖アルキル系樹脂、フッ素樹脂などの剥離剤を塗布することなどによって易剥離処理を施した剥離部７が形成されている。この剥離部７は、図１に示すように支持体１を折り畳んだ際に、第２の固定部３と被着される。したがって、この剥離部７は、少なくとも第２の固定部３と被着される領域よりも広く形成しておくのが好ましい。もちろん、支持体１の材質と第２の固定部３の粘着剤の材質との組み合わせによっては、易剥離処理をする必要はない。また、図示はしないが、支持体１を二つ折りにした際に仮着部４と対向する支持体１裏面の領域にも、易剥離処理を施してもよい。
【００２１】
このようにして第１の固定部２や第２の固定部３、仮着部４などを形成した支持体１を、少なくとも把持部５の一部が、第１の固定部２が形成された支持体１の端部からはみ出るようにして、図２の矢印で示すように内側に二つ折りにし、支持体１の裏面同士を貼り合わせるように、第２の固定部３が形成された支持体１の端部を仮着部４に仮止めする。このとき、支持体１の表面に形成された第２の固定部３は、二つ折りにされた支持体１の上面に表われる。次に、二つ折りにした支持体１を、折り曲げ部から、再び内側に二つ折りにして、第２の固定部３を易剥離処理された剥離部７に貼り合わせ、第１の実施例である固定用テープＡを作製する。
【００２２】
こうして作製された固定用テープＡは、第１の固定部２を、例えば図３に示すように、紙おむつ１１の前面若しくは背面側に固定される。使用時においては、紙おむつ１１を丸めた後に、把持部５を手で掴み、支持体１が折り畳まれた方向と反対側（図示例では上側）に引っ張ると、仮着部４の仮着部分が引き剥がされるとともに、第２の固定部３が剥離部７から引き剥がされ、固定用テープＡが引き伸ばされる。そして、適当な位置において、引き出された第２の固定部３を紙おむつ１１に止めることにより、紙おむつ１１を丸めた状態に保持することができる。
【００２３】
この固定用テープＡにあっては、支持体１がまず二つ折りにされ、その後折り畳まれた支持体１を同じ方向に折り畳む、つまり、支持体１の内側に同じ方向に２回折り畳んだ構造になっているため、把持部５を掴んで、折り畳まれた方向と反対側に引っ張ることにより、容易に固定用テープＡを引き伸ばすことができる。
【００２４】
さらに、この固定用テープＡにあっては、支持体１を二つ折りにしているため、従来の固定用テープに比較してもコンパクトな形状にでき、支持体１を長くした場合でも、従来の固定用テープのように大きくならず、不安定な形状にもならない。
【００２５】
また、固定用テープＡの作製にあっても、図２にように第１の固定部２や第２の固定部３、仮着部４を同じ面に形成すればよく、これらの固定部２、３等を形成した支持体１を、内側、内側へと折り畳むようにすればよいので、製造も簡単に行なうことができる。特に、支持体１を長くした場合には、折り畳む回数を増やすことにすればよく、製造作業も困難にならずに済む。
【００２６】
特に、第２の固定部３が位置する支持体１表面の領域には、易剥離処理が施させているため、固定用テープＡを引き伸ばす際にも抵抗なく引っ張ることができ、好都合である。また、第２の固定部３によって、２度折り畳まれた構造をそのままの状態で保持することができる。
【００２７】
さらに、第２の固定部３が形成された支持体１の端部には、粘着剤が形成されていない把持部５が、第１の固定部２が形成された支持体１の端部より突出するように形成されているので、この把持部５を持てば簡単に固定用テープＡを引き伸ばすことができ、取り扱いも容易である。
【００２８】
図４に示す固定用テープＢは、図１に示す固定用テープＡとほぼ同様な構造をしており、二つ折りにされた支持体１が巻回された構造をしている。また、固定用テープＢの把持部５には、カラーフィルム６が、第１の固定部２が形成された支持体１の端部から突出するように、第２の固定部３が形成された支持体１の端部に貼り合わせられて構成されている。なお、本実施例では剥離部７を形成してはいないが、固定用テープＡと同様に剥離部７を形成してもよいのはもちろんである。
【００２９】
この固定用テープＢにあっても、図２に示すように第１の固定部２や第２の固定部３、仮着部４等を形成した支持体１を、少なくともカラーフィルム６が第１の固定部２が形成された支持体１の端部からはみ出るようにして、内側に二つに折り畳み、支持体１の裏面同士を貼り合わせるようにして、第２の固定部３が形成された支持体１の端部を仮着部４に仮着する。こうして二つ折りにした支持体１を、折り目側から、内側にロール状に巻回し、第２の固定部３を巻回された支持体１の表面で仮着して、固定用テープＢを作製できる。
【００３０】
この固定用テープＢにあっても、把持部５を持って外側に引っ張ることにより、簡単に固定用テープＢを引き伸ばすことができる。特に、ロール状に巻き取られているため、第１の実施例である固定用テープＡに比べて抵抗なく引き伸ばすことができる。また、プラスチック材料などから作製された支持体１にあっては、支持体１自身に弾性力を有する場合があり、このような弾性力を有する支持体１を用いると、その弾性力によって、自然と引き伸ばされるようになるので、より好都合である。
【００３１】
また、製造時にあっては一度の折り曲げ工程で済み、あとは巻き取るだけでよいため、製造工程も簡略化できる。
【００３２】
さらに、支持体１は巻回された構造であるため、支持体１を長くすることが容易にでき、支持体１を折り曲げる構造に比べると、よりコンパクトにすることができるので、その保管等も容易になる。
【００３３】
これらの固定用テープＡ、Ｂは、図３に示したように紙おむつ１１や生理用ナプキンに固定することによって、使用後の紙おむつ１１や生理用ナプキンを丸めて開かないようにすることができる。また、これら以外の様々な用途に用いたりすることもできる。
【００３４】
図５は本発明のさらに別な実施例である固定用テープＣの使用状態を示す説明図であるが、のぼり１２を竹ざお１３に固定する場合について示している。固定用テープＣは図６、図７に示すように、固定用テープＡとほぼ同様な構造をしているが、この固定用テープＣにあっては、さらに、支持体１の表面において、竹ざお１３に固定する領域に粘着剤を塗布して第３の固定部８を設け、当該第３の固定部８を剥離材９で覆ってある。このような固定用テープＣを用いれば、まず、第１の固定部２をのぼり１２の適当な位置に固定したのち、固定用テープＣの把持部５（若しくはカラーフィルム６）を持って、固定用テープＣを引き伸ばす。次に、剥離材９を剥がして、第３の固定部８を竹ざお１３に固定する。そして、最後に第２の固定部３を、第１の固定部２が固定されたのぼり１２の反対面に固定すれば、簡単にのぼり１２を竹ざお１３に固定することができる。このようにすれば、より使い勝手のよい固定用テープを提供できる。
【００３５】
上記の各実施例にあっては、支持体１の両端に粘着剤を塗布して第１の固定部２及び第２の固定部３の２つの固定部２、３を設けたが、必ずしもこのように２つの固定部２、３を設ける必要もなく、第１の固定部２だけで充分な場合もある
。
【００３６】
図８に示すものは、本発明のさらに別な実施例である固定用テープＤの構造を示す側面図であって、この固定用テープＤにあっては、図９に示すようなテープ状の支持体１が、まず内側に二つ折りにされた後、さらに内側に折り畳まれた構造をしている。支持体１の一方の端部には、支持体１の表面（図９では下側に表される。）に粘着剤層が塗布された第１の固定部２が形成され、第１の固定部２が形成された支持体１の端部において、支持体１の裏面（図９では上側に表される。）には、粘着剤が塗布された仮着部４が形成されている。
【００３７】
支持体１の他端表面には、二つ折りにされた支持体１がさらに折り畳まれた状態を保持するための別な仮着部１０が形成され、その裏面には、把持部５であることを示すカラーフィルム６が貼り合わされている。この仮着部１０は、粘着剤を塗布することにより形成してもよく、また、多数の小さなフックを形成することにしてもよい。
【００３８】
このように支持体１の一方の端部にのみ、固定部を設けることにしてもよく、この固定用テープＤは、例えば、図１０に示すように、アスパラガス１４やごぼう等の野菜などを束ねて固定するような場合などに好都合に用いられる。
【００３９】
【実施例】
次に本発明の固定用テープの効果を確かめるため、具体的な実施例である固定用テープを作製し、モニターによる使用感を確認した。
【００４０】
（固定用テープの作製）
支持体として、厚さ７０μｍのポリエチレン／ポリプロピレンのブレンドフィルム（重量比５０：５０）を幅１５ｍｍ、長さ１６０ｍｍに切断したものを用い、図２に示すように、把持部を形成するようにして、支持体の両端部に、４０μｍの厚さで、長さ３０ｍｍのゴム系粘着剤を塗布した２つの固定部を作製した。次いで、長さ７０ｍｍに剥離剤を塗布した剥離部７及びホットメルトをスプレー塗布した仮着部４を作成し、図１に示すように、支持体をほぼ二つに折り畳んだ後、さらに、もう一度支持体を折り畳み、４層構造になった実施例の固定用テープを作製した。
【００４１】
比較例として、実施例の固定用テープと同じ支持体、おなじ粘着剤を用いて、図１１に示すようなＺ字状の固定用テープを作製した。
【００４２】
（モニター試験）
上記、実施例の固定用テープ及び比較例の固定用テープをそれぞれ、市販のパンツタイプの紙おむつに貼り付け、１０人のモニターに、実際に紙オムツを丸めて固定用テープで固定してもらい、その際の使い易さ、止め易さ等、表１に示す４つの項目について使用感を評価してもらった。その結果を表１に示す。
【００４３】
【表１】
0003824705.tif 000002
【００４４】
この結果からも分かるように、実施例の固定用テープの方が使い易いと答えたモニターが多く、良好な結果を得た。特に、このような固定用テープをはじめて使用したというモニターにあっては、その全員が実施例の固定用テープの方が使い易いと答えており、本発明による効果が確認された。
【００４５】
【発明の効果】
本発明の固定用テープによれば、いずれか一方の端部表面に、被着面に固定するための固定部を設けたテープ状の支持体を、前記固定部が外側に位置するようにほぼ二つ折りにして、当該二つ折りにした支持体を折り目側から、順次同じ方向に少なくとも１回以上繰り返して折り畳み若しくは巻回した構造をしているので、支持体の端部を一方向へ引っ張ることにより、簡単に固定用テープを引き伸ばすことができる。また、製造時にも、支持体を同じ方向に折り畳み若しくは巻回しているため、固定用テープを簡単に製造することができる。また、支持体を長くしてもコンパクトにすることができる。
【００４６】
特に本願発明においては、二つ折りされた支持体の上面端部に第２の固定部または仮着手段が位置しているので、さらに折り畳みあるいは巻回した場合には、当該第２の固定部または仮着手段に支持体表面が貼り合わせられることになる。こうして、折り畳まれ若しくは巻回された状態が保持され、固定用テープを安定した形状に保つことができ、固定用テープ自身やそれを装着した製品の梱包や保存等にも便利である。
そして、このとき、支持体の裏面同士を第２の仮着手段により仮着しておくと、二つ折りにして折り畳んだ際に支持体が開かれず、その後の折り畳み作業や巻回作業を行ない易くなる。
【００４７】
さらに、支持体を二つ折りにした際に、支持体の他端を固定部を設けた支持体の端部よりも突出させて、把時部としたり、あるいは、支持体を二つ折りにした際に、固定部を設けた支持体の端部よりも突出する把持部を、当該支持体の他端に設けることにすれば、把持部を持って容易に固定用テープを引き伸ばすことができる。
【００４８】
また、支持体の残る端部の表面において、被着体へ固定するための第２の固定部が設けられているので、いろいろな用途に用いることができ、固定用テープの用途を広げることができる。
【００４９】
さらに、支持体が折り畳まれ若しくは巻回された状態において、少なくとも第２の固定部と対向する領域に、折り畳み若しくは巻回した支持体の表面に易剥離処理を施しておくと、把持部を引っ張れば仮着部分が容易に引き剥がされ、より好都合である。
【００５０】
これらの固定用テープの固定手段や仮着手段としては、粘着剤等による粘着手段や、例えば小さなフックからなる係止手段を用いることができる。
【図面の簡単な説明】
【図１】本発明の一実施例である固定用テープの構造を示す側面図である。
【図２】同上の固定用テープを引き伸ばした状態を示す説明図である。
【図３】同上の固定用テープの使用状態を示す説明図である。
【図４】同上の別な実施例である固定用テープの構造を示す側面図である。
【図５】同上のさらに別な実施例である固定用テープの使用状態を示す説明図である。
【図６】同上の固定用テープの構造を示す側面図である。
【図７】同上の固定用テープを引き伸ばした状態を示す説明図である。
【図８】同上のさらに別な実施例である固定用テープの構造を示す側面図である。
【図９】同上の固定用テープを引き伸ばした状態を示す説明図である。
【図１０】同上の固定用テープの使用状態を示す説明図である。
【図１１】従来例である固定用テープの構造を示す側面図である。
【符号の説明】
１  支持体
２  第１の固定部
４  仮着部
５  把持部
７  剥離部
【図１】
0003824705.tif 000003
【図２】
0003824705.tif 000004
【図３】
0003824705.tif 000005
【図４】
0003824705.tif 000006
【図５】
0003824705.tif 000007
【図６】
0003824705.tif 000008
【図７】
0003824705.tif 000009
【図１１】
0003824705.tif 000010
【図８】
0003824705.tif 000011
【図９】
0003824705.tif 000012
【図１０】
0003824705.tif 000013